(57)【要約】【課題】使用する画面を容易に見つけ出す。【解決手段】サーバを介して、端末を使用するユーザの活動状態を示す活動情報を相互に出力すると共に、他の端末から出力された他のユーザの活動情報を入出力画面に表示するサービスをユーザに提供する端末であって、端末は、画面表示部と、入力受付部と、設定格納部とを備え、画面表示部は、サービスを使用する旨の設定情報が設定格納部に格納されている場合に、入出力画面においてサービスを使用した操作についてユーザからの入力を受け付ける旨を表示するとともに、サービスを使用しない旨の設定情報が設定格納部に格納されている場合に、入出力画面においてサービスを使用した操作についてユーザからの入力を受け付ける旨を表示しない。【選択図】図２
2008104104.tif 000002
【特許請求の範囲】
【請求項１】
サーバを介して、端末を使用するユーザの活動状態を示す活動情報を出力すると共に、前記他の端末から出力された他のユーザの前記活動情報を入出力画面に表示するサービスを前記ユーザに提供する端末であって、
前記端末は、
前記入出力画面を表示する画面表示部と、
前記入出力画面を介して前記ユーザからの入力を受け付ける入力受付部と、
前記端末の設定情報を格納する設定格納部と
を備え、
前記画面表示部は、前記サービスの使用の有無を設定するサービス使用有無設定画面を表示し、
前記設定格納部は、前記入力受付部が前記サービス使用有無設定画面を介して前記サービスを使用する旨の入力を受け付けた場合に、前記サービスを使用する旨の前記設定情報を格納するとともに、前記入力受付部が前記サービス使用有無設定画面を介して前記サービスを使用しない旨の入力を受け付けた場合に、前記サービスを使用しない旨の前記設定情報を格納し、
前記画面表示部は、前記サービスを使用する旨の前記設定情報が前記設定格納部に格納されている場合に、前記入出力画面において前記サービスを使用した操作についてユーザからの入力を受け付ける旨を表示するとともに、前記サービスを使用しない旨の前記設定情報が前記設定格納部に格納されている場合に、前記入出力画面において前記サービスを使用した操作についてユーザからの入力を受け付ける旨を表示しない端末。
【請求項２】
前記画面表示部は、前記サービスを使用する旨の前記設定情報が前記設定格納部に格納されている場合に、前記サービスの前記入出力画面へのリンクを有するメニュー画面を表示し、
前記画面表示部は、前記サービスを使用しない旨の設定情報が前記設定格納部に格納されている場合に、前記サービスの前記入出力画面への前記リンクを有しないメニュー画面を表示する請求項１に記載の端末。
【請求項３】
前記画面表示部は、前記サービスを使用する旨の前記設定情報が前記設定格納部に格納されている場合に、前記サービスとして実行される機能に関する入力項目をアクティブにして前記入出力画面を表示し、
前記画面表示部は、前記サービスを使用する旨の前記設定情報が前記設定格納部に格納されている場合に、前記サービスとして実行される機能に関する入力項目を非アクティブにして前記入出力画面を表示する請求項２に記載の端末。
【請求項４】
前記画面表示部は、前記サービスを使用する旨の設定情報が前記設定格納部に格納されている場合に、前記サーバとの接続の可否を設定する接続可否設定画面を表示し、
前記設定格納部は、前記入力受付部が前記接続可否設定画面を介して前記サーバに接続する旨の入力を受け付けた場合に、前記サーバに接続する旨の前記設定情報を格納し、
前記設定格納部は、前記入力受付部が前記接続可否設定画面を介して前記サーバに接続しない旨の入力を受け付けた場合に、前記サーバに接続しない旨の前記設定情報を格納し、
前記画面表示部は、前記サービスを使用する旨の前記設定情報、および、前記サーバに接続する旨の前記設定情報が前記設定格納部に格納されている場合に、前記入出力画面において、前記サービスのうち前記サーバに接続して使用するサービスの操作についてユーザからの入力を受け付ける旨を表示するとともに、前記サービスを使用する旨の前記設定情報、および、前記サーバに接続しない旨の前記設定情報が前記設定格納部に格納されている場合に、前記入出力画面において、前記サービスのうち前記サーバに接続して使用するサービスの操作についてユーザからの入力を受け付ける旨を表示しない請求項１に記載の端末。
【請求項５】
前記画面表示部は、前記サービスを使用する旨の前記設定情報、および、前記サーバに接続する旨の前記設定情報が前記設定格納部に格納されている場合に、前記サービスのうち前記サーバに接続して実行される前記サービスの前記入出力画面へのリンクを有するメニュー画面を表示し、
前記画面表示部は、前記サービスを使用する旨の前記設定情報、および、前記サーバに接続しない旨の前記設定情報が前記設定格納部に格納されている場合に、前記サービスのうち前記サーバに接続して実行される前記サービスの前記入出力画面への前記リンクを有しないメニュー画面を表示する請求項４に記載の端末。
【請求項６】
前記画面表示部は、前記サービスを使用する旨の前記設定情報、および、前記サーバに接続する旨の前記設定情報が前記設定格納部に格納されている場合に、前記サービスとして前記サーバに接続して実行される機能に関する入力項目をアクティブにして前記入出力画面を表示し、
前記画面表示部は、前記サービスを使用する旨の前記設定情報、および、前記サーバに接続しない旨の前記設定情報が前記設定格納部に格納されている場合に、前記サービスとして前記サーバに接続して実行される機能に関する入力項目を非アクティブにして前記入出力画面を表示する請求項４に記載の端末。
【請求項７】
サーバを介して、端末を使用するユーザの活動状態を示す活動情報を相互に出力すると共に、前記他の端末から出力された他のユーザの前記活動情報を入出力画面に表示するサービスを前記ユーザに提供する端末を制御するプログラムであって、前記端末に、
前記入出力画面を表示する画面表示手順、
前記入出力画面を介して前記ユーザからの入力を受け付ける入力受付手順、および、
前記端末に対する設定情報を格納する設定格納手順、
を実行させ、
前記画面表示手順は、前記サービスの使用の有無を設定するサービス使用有無設定画面を表示し、
前記設定格納手順は、前記入力受付手順が前記サービス使用有無設定画面を介して前記サービスを使用する旨の入力を受け付けた場合に、前記サービスを使用する旨の前記設定情報を格納するとともに、前記入力受付手順が前記サービス使用有無設定画面を介して前記サービスを使用しない旨の入力を受け付けた場合に、前記サービスを使用しない旨の前記設定情報を格納し、
前記画面表示手順は、前記サービスを使用する旨の前記設定情報が前記設定格納手順に格納されている場合に、前記入出力画面において前記サービスを使用した操作についてユーザからの入力を受け付ける旨を表示するとともに、前記サービスを使用しない旨の前記設定情報が前記設定格納手順に格納されている場合に、前記入出力画面において前記サービスを使用した操作についてユーザからの入力を受け付ける旨を表示しないプログラム。
【発明の詳細な説明】
【技術分野】
【０００１】
本発明は、端末およびプログラムに関する。特に、本発明は、端末を使用するユーザの活動状態を示す活動情報を相互に出力する端末およびプログラムに関する。
【背景技術】
【０００２】
端末のユーザの状態を示す情報を他の端末のユーザに送信するシステムが知られている（例えば、特許文献１。）。特許文献１に記載のシステムによれば、端末は、他の端末のユーザの状態を示す情報、および、その情報に対応付けられたイメージ画像を表示する。
【特許文献１】特開２００５−１２３９７０号公報
【発明の開示】
【発明が解決しようとする課題】
【０００３】
しかしながら、特許文献１に記載のシステムなどの端末は、ユーザの使用態様において使用しない入出力画面が表示されることがあるので、多数の画面のなかから使用する画面を見つけ出すのに手間がかかるという課題がある。
【課題を解決するための手段】
【０００４】
上記課題を解決するために、本発明の第１の形態においては、サーバを介して、端末を使用するユーザの活動状態を示す活動情報を相互に出力すると共に、他の端末から出力された他のユーザの活動情報を入出力画面に表示するサービスをユーザに提供する端末であって、端末は、入出力画面を表示する画面表示部と、入出力画面を介してユーザからの入力を受け付ける入力受付部と、端末に対する設定情報を格納する設定格納部とを備え、画面表示部は、サービスの使用の有無を設定するサービス使用有無設定画面を表示し、設定格納部は、入力受付部がサービス使用有無設定画面を介してサービスを使用する旨の入力を受け付けた場合に、サービスを使用する旨の設定情報を格納するとともに、入力受付部がサービス使用有無設定画面を介してサービスを使用しない旨の入力を受け付けた場合に、サービスを使用しない旨の設定情報を格納し、画面表示部は、サービスを使用する旨の設定情報が設定格納部に格納されている場合に、入出力画面においてサービスを使用した操作についてユーザからの入力を受け付ける旨を表示するとともに、サービスを使用しない旨の設定情報が設定格納部に格納されている場合に、入出力画面においてサービスを使用した操作についてユーザからの入力を受け付ける旨を表示しない。これにより、使用態様において使用しない入出力画面を表示しないので、使用する画面を容易に見つけ出すことができる。
【０００５】
なお、上記の発明の概要は、本発明の必要な特徴の全てを列挙したものではなく、これらの特徴群のサブコンビネーションもまた、発明となりうる。
【発明を実施するための最良の形態】
【０００６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【０００７】
図１は、携帯情報端末２０のサービスの概略図を模式的に示す。携帯情報端末２０は、端末の一例であって、例えば、スマートフォン（ｓｍａｒｔ  ｐｈｏｎｅ）である。携帯情報端末２０は、入出力画面に表示するディスプレイ２００および入出力画面への入力を受け付ける操作パネル３００を備える。携帯情報端末２０は、サーバ３０、ネットワーク７０およびサーバ３２を介して携帯情報端末２２と通信する。例えば、携帯情報端末２０は、携帯情報端末２０を使用するユーザ（以下、「ユーザＡ」という。）の活動状態を示す活動情報を出力すると共に、携帯情報端末２２を使用するユーザ（以下、「ユーザＢ」という。）の活動情報を入出力画面に表示するサービス（以下、「本サービス」という。）をユーザＡに提供する。活動情報は、ユーザの活動状態を示す情報であって、一例としては、自宅に居ることを示す活動情報「自宅」である。また、活動情報はプレゼンスともいう。
【０００８】
なお、本サービスは、サーバ３０にユーザ登録をすることにより開始する。具体的には、まず、携帯情報端末２０を購入したユーザＡは、本サービスを提供する事業者に本サービスの開始を申し込む。事業者は、申し込みに基づいてサーバ３０に所定の設定をする。その後、ユーザＡは、携帯情報端末２０に所定の設定をすることにより、ユーザＡがサーバ３０に登録され、本サービスが開始する。
【０００９】
ネットワーク７０は、例えば、インターネットである。また、携帯情報端末２２の機能および動作は、携帯情報端末２０の機能および動作と同一である。サーバ３０、３２は、例えば、ＳＩＰ（Ｓｅｓｓｉｏｎ  Ｉｎｉｔｉａｔｉｏｎ  Ｐｒｏｔｏｃｏｌ）サーバである。サーバ３０、３２は携帯情報端末２０、２２にそれぞれ対応付けられている。
【００１０】
図２は、携帯情報端末２０のブロック図の一例を示す。携帯情報端末２０は、画面格納部１００、画面表示部１１０、操作受付部１２０、設定格納部１３０、送受信部１４０およびカード読取部１５０を備える。画面格納部１００は、ディスプレイ２００に表示される入出力画面を格納する。カード読取部１５０は、ｉｃカード、例えば、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）９０を読み取る。画面表示部１１０は、画面格納部１００またはＵＳＩＭに格納された入出力画面をディスプレイ２００に表示する。操作受付部１２０は、入出力画面を介してユーザＡからの入力を受け付ける。設定格納部１３０は、携帯情報端末２０の設定情報を格納する。送受信部１４０は、活動情報等を送受信する。
【００１１】
具体的には、画面表示部１１０は、本サービスの使用の有無を設定するサービス使用有無設定画面を表示する。操作受付部１２０がサービス使用有無設定画面を介して本サービスを使用する旨の入力を受け付けた場合、設定格納部１３０は、本サービスを使用する旨の設定情報を格納する。操作受付部１２０がサービス使用有無設定画面を介して本サービスを使用しない旨の入力を受け付けた場合には、設定格納部１３０は、本サービスを使用しない旨の設定情報を格納する。
【００１２】
そして画面表示部１１０は、本サービスを使用する旨の設定情報が設定格納部１３０に格納されている場合に、前記入出力画面において前記サービスを使用した操作についてユーザからの入力を受け付ける旨を表示する。例えば、画面表示部１１０は、本サービスを使用する旨の設定情報が設定格納部１３０に格納されている場合に、本サービスの入出力画面へのリンクを有するメニュー画面を表示する。また例えば、画面表示部１１０は、本サービスを使用する旨の設定情報が設定格納部１３０に格納されている場合に、本サービスとして実行される機能に関する入力項目をアクティブにして入出力画面を表示してもよい。
【００１３】
一方、画面表示部１１０は、本サービスを使用しない旨の設定情報が設定格納部１３０に格納されている場合に、前記入出力画面において前記サービスを使用した操作についてユーザからの入力を受け付ける旨を表示しない。例えば、画面表示部１１０は、本サービスを使用しない旨の設定情報が設定格納部１３０に格納されている場合に、本サービスの入出力画面へのリンクを有しないメニュー画面を表示する。また例えば、画面表示部１１０は、本サービスを使用する旨の設定情報が設定格納部１３０に格納されている場合に、本サービスとして実行される機能に関する入力項目を非アクティブにして入出力画面を表示してもよい。
【００１４】
さらに、画面表示部１１０は、本サービスを使用する旨の設定情報が設定格納部１３０に格納されている場合に、サーバ３０との接続の可否を設定する接続可否設定画面を表示する。操作受付部１２０が接続可否設定画面を介してサーバ３０に接続する旨の入力を受け付けた場合、設定格納部１３０は、サーバ３０に接続する旨の設定情報を格納する。操作受付部１２０が接続可否設定画面を介してサーバ３０に接続しない旨の入力を受け付けた場合には、設定格納部１３０は、サーバ３０に接続しない旨の設定情報を格納する。
【００１５】
そして画面表示部１１０は、本サービスを使用する旨の設定情報、および、サーバ３０に接続する旨の設定情報が設定格納部１３０に格納されている場合に、前記入出力画面において、前記サービスのうち前記サーバに接続して使用するサービスの操作についてユーザからの入力を受け付ける旨を表示する。例えば、画面表示部１１０は、本サービスを使用する旨の設定情報、および、サーバ３０に接続する旨の設定情報が設定格納部１３０に格納されている場合に、本サービスのうちサーバ３０に接続して実行される本サービスの入出力画面へのリンクを有するメニュー画面を表示する。また例えば、画面表示部１１０は、本サービスを使用する旨の設定情報、および、サーバ３０に接続する旨の設定情報が設定格納部１３０に格納されている場合に、本サービスとしてサーバ３０に接続して実行される機能に関する入力項目をアクティブにして入出力画面を表示してもよい。
【００１６】
一方、画面表示部１１０は、本サービスを使用する旨の設定情報、および、サーバ３０に接続しない旨の設定情報が設定格納部１３０に格納されている場合に、前記入出力画面において、前記サービスのうち前記サーバに接続して使用するサービスの操作についてユーザからの入力を受け付ける旨を表示しない。例えば、画面表示部１１０は、本サービスを使用する旨の設定情報、および、サーバ３０に接続しない旨の設定情報が設定格納部１３０に格納されている場合に、本サービスのうちサーバ３０に接続して実行される本サービスの入出力画面へのリンクを有しないメニュー画面を表示する。また例えば、画面表示部１１０は、本サービスを使用する旨の設定情報、および、サーバ３０に接続しない旨の設定情報が設定格納部１３０に格納されている場合に、本サービスとしてサーバ３０に接続して実行される機能に関する入力項目を非アクティブにして入出力画面を表示してもよい。
【００１７】
図３は、ＵＳＩＭ９０および画面格納部１００に格納された入出力画面の一例を示す。ＵＳＩＭ９０には、図３（ａ）に示すように、ユーザ登録の設定をするユーザ登録設定画面４００を格納する。画面格納部１００は、図３（ｂ）に示すように、本サービスに関するメニュー画面４１０、サービス使用有無設定画面４２０、および、本サービスに関するサブメニュー画面４３０、接続可否設定画面４４０および活動情報設定画面４５０を格納する。なお、本サービスに関するサブメニュー画面４３０、接続可否設定画面４４０および活動情報設定画面４５０は、本サービスの入出力画面の一例である。また、活動情報設定画面４５０は、本サービスのうちサーバ３０に接続して実行される本サービスの入出力画面の一例である。また、本サービスに関するメニュー画面４１０および本サービスに関するサブメニュー画面４３０はメニュー画面の一例である。
【００１８】
図４は、設定格納部１３０に格納された設定情報の一例を示す。設定格納部１３０は、携帯情報端末２０の設定情報として、登録フラグ、サービスフラグおよびオンラインフラグを格納する。登録フラグは、本サービスのユーザ登録の有無が設定される。登録フラグ「０」はユーザ登録がなされていない旨を示し、サービスフラグ「１」はユーザ登録がなされている旨を示す。
【００１９】
サービスフラグは、サービスの使用の有無が設定される。具体的にはサービスフラグは、ユーザ登録がなされている場合において、一時的なサービスの使用の有無が設定される。サービスフラグ「０」はサービスを使用しない旨を示し、サービスフラグ「１」はサービスを使用する旨を示す。オンラインフラグは、サーバ３０との接続の可否が設定される。オンラインフラグ「０」はサーバ３０に接続しない旨を示し、オンラインフラグ「１」はサーバ３０に接続する旨を示す。なお、図４（ａ）は、携帯情報端末２０の出荷時の各フラグの値である。また、図４（ｂ）（ｃ）（ｄ）（ｅ）については後述する。
【００２０】
図５は、携帯情報端末２０の動作モードの遷移を模式的に示す遷移図である。携帯情報端末２０は、設定格納部１３０に格納された設定情報に応じて遷移する、複数の動作モードを備える。具体的には、図４に示すように、携帯情報端末２０は、登録フラグ「０」、サービスフラグ「０」およびオンラインフラグ「０」であるときに動作する動作モード「未登録」、登録フラグ「１」、サービスフラグ「０」およびオンラインフラグ「０」、または、登録フラグ「１」、サービスフラグ「０」およびオンラインフラグ「１」であるときに動作する動作モード「不使用」、登録フラグ「１」、サービスフラグ「１」およびオンラインフラグ「０」であるときに動作する動作モード「サービス使用（オフライン）」、並びに、登録フラグ「１」、サービスフラグ「１」およびオンラインフラグ「１」であるときに動作する動作モード「サービス使用（オンライン）」を備える。なお、上述したように、出荷時において携帯情報端末２０は、図４（ａ）に示す各値を格納するので、動作モード「未登録」である。また、図中の矢印は、各動作モードの遷移を示す。動作モード間の遷移については後述する。
【００２１】
図６は、入出力画面の遷移を模式的に示す遷移図である。図７は、動作モードと入出力画面の表示または非表示の関係を示す。図８から図１５は、ディスプレイ２００に表示される入出力画面の一例を示す。
【００２２】
動作モード「未登録」で出荷される携帯情報端末２０は、図７に示すように、ユーザ登録設定画面４００を表示する。具体的には、まず、携帯情報端末２０を購入したユーザＡは、本サービスを提供する事業者に本サービスの開始を申し込む。申し込みを受け付けた事業者は、申し込みに基づいてサーバ３０に所定の設定をする。その後、ユーザＡが携帯情報端末２０にＵＳＩＭ９０を挿入すると、画面表示部１１０は、設定情報（登録フラグ「０」、サービスフラグ「０」、オンラインフラグ「０」）を参照して動作モード「未登録」であると判断する。動作モード「未登録」であると判断した画面表示部１１０は、図８に示すユーザ登録設定画面４００をＵＳＩＭ９０から読み出してディスプレイ２００に表示する。なお、動作モード「未登録」で出荷される携帯情報端末２０は、図７に示すように、メニュー画面４１０、サービス使用有無設定画面４２０、サブメニュー画面４３０、接続可否設定画面４４０、および、活動情報設定画面４５０を表示しない。
【００２３】
ユーザ登録設定画面４００において、ユーザＡがボタン「Ｙｅｓ」を選択した場合、すなわち操作受付部１２０がユーザ登録設定画面４００においてボタン「Ｙｅｓ」が選択された旨の入力を受け付けた場合、操作受付部１２０は、図４（ｂ）に示すように、設定格納部１３０に格納されている登録フラグ「０」を登録フラグ「１」に更新する。また、操作受付部１２０は、ユーザ登録設定画面４００においてボタン「Ｙｅｓ」が選択された旨を画面表示部１１０に通知する。通知を受けた画面表示部１１０は、設定情報（登録フラグ「１」、サービスフラグ「０」、オンラインフラグ「０」）を参照して動作モード「不使用」であると判断する。動作モード「不使用」であると判断した画面表示部１１０は、図７に示すように、動作モード「不使用」において表示するメニュー画面４１０またはサービス使用有無設定画面４２０のうち、図６に示すようにボタン「Ｙｅｓ」の選択により遷移する、図９に示すメニュー画面４１０を表示する。
【００２４】
図９に示すメニュー画面４１０において、ユーザＡがリンク「１．サービス使用有無設定画面」を選択した場合、すなわち操作受付部１２０がメニュー画面４１０においてリンク「１．サービス使用有無設定画面」が選択された旨の入力を受け付けた場合、操作受付部１２０は、メニュー画面４１０においてリンク「１．サービス使用有無設定画面」が選択された旨を画面表示部１１０に通知する。通知を受けた画面表示部１１０は、設定情報（登録フラグ「１」、サービスフラグ「０」、オンラインフラグ「０」）を参照して動作モード「不使用」であると判断する。動作モード「不使用」であると判断した画面表示部１１０は、図７に示すように、動作モード「不使用」において表示するメニュー画面４１０またはサービス使用有無設定画面４２０のうち、図６に示すようにリンク「１．サービス使用有無設定画面」の選択により遷移する、図１０（ａ）に示すサービス使用有無設定画面４２０を表示する。なお、画面表示部１１０は、サービスフラグ「０」を参照して、図１０（ａ）に示すサービス使用有無設定画面４２０を表示する。
【００２５】
図１０（ａ）に示すサービス使用有無設定画面４２０において、ユーザＡがラジオボタン「サービス使用中（オン）」を選択した後にボタン「設定」を選択した場合、すなわち操作受付部１２０がサービス使用有無設定画面４２０においてラジオボタン「サービス使用中（オン）」が選択された状態でボタン「設定」が選択された旨の入力を受け付けた場合、操作受付部１２０は、図４（ｃ）に示すように、設定格納部１３０に格納されているサービスフラグ「０」をサービスフラグ「１」に更新する。また、操作受付部１２０は、サービス使用有無設定画面４２０においてラジオボタン「サービス使用中（オン）」が選択された状態でボタン「設定」が選択された旨を画面表示部１１０に通知する。通知を受けた画面表示部１１０は、設定情報（登録フラグ「１」、サービスフラグ「１」、オンラインフラグ「０」）を参照して動作モード「使用（オフライン）」であると判断する。動作モード「使用（オフライン）」であると判断した画面表示部１１０は、図７に示すように、動作モード「使用（オフライン）」において表示するメニュー画面４１０、サービス使用有無設定画面４２０、サブメニュー画面４３０、または、接続可否設定画面４４０のうち、図６に示すようにボタン「設定」の選択により遷移する、図１０（ｂ）に示すサービス使用有無設定画面４２０を表示する。なお、画面表示部１１０は、ラジオボタン「サービス使用中（オン）」が選択された状態でボタン「設定」が選択された旨の入力に基づいて、図１０（ｂ）に示すサービス使用有無設定画面４２０を表示してもよい。
【００２６】
図１０（ｂ）に示すサービス使用有無設定画面４２０において、ユーザＡがボタン「戻る」を選択した場合、すなわち操作受付部１２０がサービス使用有無設定画面４２０においてボタン「戻る」が選択された旨の入力を受け付けた場合、操作受付部１２０は、サービス使用有無設定画面４２０においてボタン「戻る」が選択された旨を画面表示部１１０に通知する。通知を受けた画面表示部１１０は、設定情報（登録フラグ「１」、サービスフラグ「１」、オンラインフラグ「０」）を参照して動作モード「使用（オフライン）」であると判断する。動作モード「使用（オフライン）」であると判断した画面表示部１１０は、図７に示すように、動作モード「使用（オフライン）」において表示するメニュー画面４１０、サービス使用有無設定画面４２０、サブメニュー画面４３０、または、接続可否設定画面４４０のうち、図６に示すようにボタン「戻る」の選択により遷移する、図１１に示すメニュー画面４１０を表示する。なお、画面表示部１１０は、サービスフラグ「１」を参照して、メニュー画面４１０にリンク「２．サブメニュー画面」を表示する。つまり、サービス使用有無設定画面４２０において「サービス停止中（オフ）」が選択されている場合、すなわちサービスフラグ「０」である場合には、図９に示すようにサブメニュー画面４３０へのリンクが表示されず、「サービス使用中（オン）」が選択されている場合、すなわちサービスフラグ「１」である場合には、図１１に示すようにサブメニュー画面４３０へのリンクが表示される。したがって、動作モード「不使用」という使用態様と動作モード「使用（オフライン）」という使用態様とのように、使用態様に応じて使用される入出力画面が異なる場合に、当該使用態様において使用されることのない入出力画面を非表示とすることにより、ユーザは、当該使用態様において使用する入出力画面を容易に見つけ出すことができる。
【００２７】
図１１に示すメニュー画面４１０において、ユーザＡがリンク「２．サブメニュー」を選択した場合、すなわち操作受付部１２０がメニュー画面４１０においてリンク「２．サブメニュー」が選択された旨の入力を受け付けた場合、操作受付部１２０は、メニュー画面４１０においてリンク「２．サブメニュー」が選択された旨を画面表示部１１０に通知する。通知を受けた画面表示部１１０は、設定情報（登録フラグ「１」、サービスフラグ「１」、オンラインフラグ「０」）を参照して動作モード「使用（オフライン）」であると判断する。動作モード「使用（オフライン）」であると判断した画面表示部１１０は、図７に示すように、動作モード「使用（オフライン）」において表示するメニュー画面４１０、サービス使用有無設定画面４２０、サブメニュー画面４３０、または、接続可否設定画面４４０のうち、図６に示すようにリンク「２．サブメニュー」の選択により遷移する、図１２に示すサブメニュー画面４３０を表示する。なお、画面表示部１１０は、オンラインフラグ「０」を参照して、図１２に示すサブメニュー画面４３０を表示する。
【００２８】
図１２に示すサブメニュー画面４３０において、ユーザＡがリンク「１．接続可否設定画面」を選択した場合、すなわち操作受付部１２０がサブメニュー画面４３０においてリンク「１．接続可否設定画面」が選択された旨の入力を受け付けた場合、操作受付部１２０は、サブメニュー画面４３０においてリンク「１．接続可否設定画面」が選択された旨を画面表示部１１０に通知する。通知を受けた画面表示部１１０は、設定情報（登録フラグ「１」、サービスフラグ「１」、オンラインフラグ「０」）を参照して動作モード「使用（オフライン）」であると判断する。動作モード「使用（オフライン）」であると判断した画面表示部１１０は、図７に示すように、動作モード「使用（オフライン）」において表示するメニュー画面４１０、サービス使用有無設定画面４２０、サブメニュー画面４３０、または、接続可否設定画面４４０のうち、図６に示すようにリンク「１．接続可否設定画面」の選択により遷移する、図１３（ａ）に示す接続可否設定画面４４０を表示する。なお、画面表示部１１０は、オンラインフラグ「０」を参照して、図１０（ａ）に示す接続可否設定画面４４０を表示する。
【００２９】
図１３（ａ）に示す接続可否設定画面４４０において、ユーザＡがラジオボタン「提供中（オンライン）」を選択した後にボタン「設定」を選択した場合、すなわち操作受付部１２０が接続可否設定画面４４０においてラジオボタン「提供中（オンライン）」が選択された状態でボタン「設定」が選択された旨の入力を受け付けた場合、操作受付部１２０は、図４（ｄ）に示すように、設定格納部１３０に格納されているオンライン「０」をオンライン「１」に更新する。また、操作受付部１２０は、接続可否設定画面４４０においてラジオボタン「提供中（オンライン）」が選択された状態でボタン「設定」が選択された旨を画面表示部１１０に通知する。通知を受けた画面表示部１１０は、設定情報（登録フラグ「１」、サービスフラグ「１」、オンラインフラグ「１」）を参照して動作モード「使用（オンライン）」であると判断する。動作モード「使用（オンライン）」であると判断した画面表示部１１０は、図７に示すように、動作モード「使用（オンライン）」において表示するメニュー画面４１０、サービス使用有無設定画面４２０、サブメニュー画面４３０、接続可否設定画面４４０、または、活動情報設定画面４５０のうち、図６に示すようにボタン「設定」の選択により遷移する、図１３（ｂ）に示す接続可否設定画面４４０を表示する。なお、画面表示部１１０は、ラジオボタン「提供中（オンライン）」が選択された状態でボタン「設定」が選択された旨の入力に基づいて、図１３（ｂ）に示す接続可否設定画面４４０を表示してもよい。
【００３０】
図１３（ｂ）に示す接続可否設定画面４４０において、ユーザＡがボタン「戻る」を選択した場合、すなわち操作受付部１２０が接続可否設定画面４４０においてボタン「戻る」が選択された旨の入力を受け付けた場合、操作受付部１２０は、接続可否設定画面４４０においてボタン「戻る」が選択された旨を画面表示部１１０に通知する。通知を受けた画面表示部１１０は、設定情報（登録フラグ「１」、サービスフラグ「１」、オンラインフラグ「１」）を参照して動作モード「使用（オンライン）」であると判断する。動作モード「使用（オンライン）」であると判断した画面表示部１１０は、図７に示すように、動作モード「使用（オンライン）」において表示するメニュー画面４１０、サービス使用有無設定画面４２０、サブメニュー画面４３０、接続可否設定画面４４０、または、活動情報設定画面４５０のうち、図６に示すようにボタン「戻る」の選択により遷移する、図１４に示すサブメニュー画面４３０を表示する。なお、画面表示部１１０は、オンラインフラグ「１」を参照して、サブメニュー画面４３０にリンク「２．活動情報設定画面面」を表示する。つまり、接続可否設定画面４４０において「停止中（オフライン）」が選択されている場合、すなわちオンラインフラグ「０」である場合には、図１２に示すように活動情報設定画面４５０へのリンクが表示されず、「提供中（オンライン）」が選択されている場合、すなわちオンラインフラグ「１」である場合には、図１４に示すように活動情報設定画面４５０へのリンクが表示される。したがって、動作モード「使用（オフライン）」という使用態様と動作モード「使用（オンライン）」という使用態様とのように、使用態様に応じて使用される入出力画面が異なる場合に、当該使用態様において使用されることのない入出力画面を非表示とすることにより、ユーザは、当該使用態様において使用する入出力画面を容易に見つけ出すことができる。
【００３１】
図１４に示すサブメニュー画面４３０において、ユーザＡがリンク「２．活動情報設定画面」を選択した場合、すなわち操作受付部１２０がサブメニュー画面４３０においてリンク「２．活動情報設定画面」が選択された旨の入力を受け付けた場合、操作受付部１２０は、サブメニュー画面４３０においてリンク「２．活動情報設定画面」が選択された旨を画面表示部１１０に通知する。通知を受けた画面表示部１１０は、設定情報（登録フラグ「１」、サービスフラグ「１」、オンラインフラグ「１」）を参照して動作モード「使用（オンライン）」であると判断する。動作モード「使用（オンライン）」であると判断した画面表示部１１０は、図７に示すように、動作モード「使用（オンライン）」において表示するメニュー画面４１０、サービス使用有無設定画面４２０、サブメニュー画面４３０、接続可否設定画面４４０、または、活動情報設定画面４５０のうち、図６に示すようにリンク「２．活動情報設定画面」の選択により遷移する、図１５に示す活動情報設定画面４５０を表示する。なお、操作受付部１２０は、活動情報設定画面４５０において活動情報「暇」が選択された状態でボタン「送信」が選択された旨の入力を受け付けた場合、操作受付部１２０は、活動情報設定画面４５０において活動情報「暇」が選択された状態でボタン「送信」が選択された旨を送受信部１４０に通知する。通知を受けた送受信部１４０は、活動情報「暇」をサーバ３０に送信する。
【００３２】
図１５に示す活動情報設定画面４５０において、ユーザＡがボタン「戻る」を選択した場合、すなわち操作受付部１２０が活動情報設定画面４５０においてボタン「戻る」が選択された旨の入力を受け付けた場合、操作受付部１２０は、活動情報設定画面４５０においてボタン「戻る」が選択された旨を画面表示部１１０に通知する。通知を受けた画面表示部１１０は、設定情報（登録フラグ「１」、サービスフラグ「１」、オンラインフラグ「１」）を参照して動作モード「使用（オンライン）」であると判断する。動作モード「使用（オンライン）」であると判断した画面表示部１１０は、図７に示すように、動作モード「使用（オンライン）」において表示するメニュー画面４１０、サービス使用有無設定画面４２０、サブメニュー画面４３０、接続可否設定画面４４０、または、活動情報設定画面４５０のうち、図６に示すようにボタン「戻る」の選択により遷移する、図１４に示すサブメニュー画面４３０を表示する。なお、画面表示部１１０は、オンラインフラグ「１」を参照して、サブメニュー画面４３０にリンク「２．活動情報設定画面面」を表示する。
【００３３】
図１４に示すサブメニュー画面４３０において、ユーザＡがボタン「戻る」を選択した場合、すなわち操作受付部１２０がサブメニュー画面４３０においてボタン「戻る」が選択された旨の入力を受け付けた場合、操作受付部１２０は、サブメニュー画面４３０においてボタン「戻る」が選択された旨を画面表示部１１０に通知する。通知を受けた画面表示部１１０は、設定情報（登録フラグ「１」、サービスフラグ「１」、オンラインフラグ「１」）を参照して動作モード「使用（オンライン）」であると判断する。動作モード「使用（オンライン）」であると判断した画面表示部１１０は、図７に示すように、動作モード「使用（オンライン）」において表示するメニュー画面４１０、サービス使用有無設定画面４２０、サブメニュー画面４３０、接続可否設定画面４４０、または、活動情報設定画面４５０のうち、図６に示すようにボタン「戻る」の選択により遷移する、図１１に示すメニュー画面４１０を表示する。なお、画面表示部１１０は、サービスフラグ「１」を参照して、メニュー画面４１０にリンク「２．サブメニュー画面」を表示する。
【００３４】
図１１に示すメニュー画面４１０において、ユーザＡがリンク「１．サービス使用有無設定画面」を選択した場合、すなわち操作受付部１２０がメニュー画面４１０においてリンク「１．サービス使用有無設定画面」が選択された旨の入力を受け付けた場合、操作受付部１２０は、メニュー画面４１０においてリンク「１．サービス使用有無設定画面」が選択された旨を画面表示部１１０に通知する。通知を受けた画面表示部１１０は、設定情報（登録フラグ「１」、サービスフラグ「１」、オンラインフラグ「１」）を参照して動作モード「使用（オンライン）」であると判断する。動作モード「使用（オンライン）」であると判断した画面表示部１１０は、図７に示すように、動作モード「使用（オンライン）」において表示するメニュー画面４１０、サービス使用有無設定画面４２０、サブメニュー画面４３０、接続可否設定画面４４０、または、活動情報設定画面４５０のうち、図６に示すようにリンク「１．サービス使用有無設定画面」の選択により遷移する、図１０（ｂ）に示すサービス使用有無設定画面４２０を表示する。なお、画面表示部１１０は、サービスフラグ「１」を参照して、図１０（ｂ）に示すサービス使用有無設定画面４２０を表示する。
【００３５】
さらに、図１０（ｂ）に示すサービス使用有無設定画面４２０において、ユーザＡがラジオボタン「サービス停止中（オフ）」を選択した後にボタン「設定」を選択した場合、すなわち操作受付部１２０がサービス使用有無設定画面４２０においてラジオボタン「サービス停止中（オフ）」が選択された状態でボタン「設定」が選択された旨の入力を受け付けた場合、操作受付部１２０は、図４（ｅ）に示すように、設定格納部１３０に格納されているサービスフラグ「１」をサービスフラグ「０」に更新する。また、操作受付部１２０は、サービス使用有無設定画面４２０においてラジオボタン「サービス停止中（オフ）」が選択された状態でボタン「設定」が選択された旨を画面表示部１１０に通知する。通知を受けた画面表示部１１０は、設定情報（登録フラグ「１」、サービスフラグ「０」、オンラインフラグ「１」）を参照して動作モード「不使用」であると判断する。動作モード「不使用」であると判断した画面表示部１１０は、図７に示すように、動作モード「不使用」において表示するメニュー画面４１０またはサービス使用有無設定画面４２０のうち、図６に示すようにボタン「設定」の選択により遷移する、図１０（ａ）に示すサービス使用有無設定画面４２０を表示する。なお、画面表示部１１０は、ラジオボタン「サービス停止中（オフ）」が選択された状態でボタン「設定」が選択された旨の入力に基づいて、図１０（ａ）に示すサービス使用有無設定画面４２０を表示してもよい。
【００３６】
さらに、図１０（ａ）に示すサービス使用有無設定画面４２０において、ユーザＡがボタン「戻る」を選択した場合、すなわち操作受付部１２０がサービス使用有無設定画面４２０においてボタン「戻る」が選択された旨の入力を受け付けた場合、操作受付部１２０は、サービス使用有無設定画面４２０においてボタン「戻る」が選択された旨を画面表示部１１０に通知する。通知を受けた画面表示部１１０は、設定情報（登録フラグ「１」、サービスフラグ「０」、オンラインフラグ「１」）を参照して動作モード「不使用」であると判断する。動作モード「不使用」であると判断した画面表示部１１０は、図７に示すように、動作モード「不使用」において表示するメニュー画面４１０またはサービス使用有無設定画面４２０のうち、図６に示すようにボタン「戻る」の選択により遷移する、図９に示すメニュー画面４１０を表示する。なお、画面表示部１１０は、サービスフラグ「０」を参照して、メニュー画面４１０にリンク「２．サブメニュー画面」をしない。
【００３７】
なお、画面表示部１１０は、図９に示すメニュー画面４１０において、リンク「２．サブメニュー画面」を表示しないことにかえて、リンク「２．サブメニュー画面」を非アクティブにして表示してもよい。同様に、画面表示部１１０は、図１２に示すサブメニュー画面４３０において、リンク「２．活動情報設定画面」を表示しないことにかえて、リンク「２．活動情報設定画面」を非アクティブにして表示してもよい。
【００３８】
さらに、画面表示部１１０は、図９に示すメニュー画面４１０を表示することにかえて、図１１に示すメニュー画面４１０を表示し、リンク「１．接続可否設定画面」およびリンク「２．活動情報設定画面」を非表示または非アクティブとするサブメニュー画面４３０を表示してもよい。同様に、画面表示部１１０は、図１２に示すサブメニュー画面４３０を表示することにかえて、図１４に示すサブメニュー画面４３０を表示し、活動情報の選択、ボタン「送信」などの入力項目を非アクティブとした活動情報設定画面４５０を表示してもよい。
【００３９】
以上、本実施形態によれば、使用態様において使用しない入出力画面を表示しないので、使用する画面を容易に見つけ出すことができる。
【００４０】
なお、本実施形態において携帯情報端末２０は、出荷時に、登録フラグ「０」、サービスフラグ「０」およびオンラインフラグ「０」を格納するが、これに限定されない。携帯情報端末２０は、出荷時に、登録フラグ「０」、サービスフラグ「１」およびオンラインフラグ「０」を格納してもよいし、登録フラグ「０」、サービスフラグ「１」およびオンラインフラグ「１」を格納してもよい。例えば、携帯情報端末２０が登録フラグ「０」、サービスフラグ「１」およびオンラインフラグ「０」を格納して出荷された場合、ユーザ登録設定画面４００においてユーザＡがボタン「Ｙｅｓ」を選択したときは、操作受付部１２０は、設定格納部１３０に格納されている登録フラグ「０」を登録フラグ「１」に更新し、画面表示部１１０は、設定情報（登録フラグ「１」、サービスフラグ「１」、オンラインフラグ「０」）を参照して動作モード「使用（オフライン）」であると判断する。
【００４１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４２】
【図１】携帯情報端末２０のサービスの概略図を模式的に示す。
【図２】携帯情報端末２０のブロック図の一例を示す。
【図３】ＵＳＩＭ９０および画面格納部１００に格納された入出力画面の一例を示す。
【図４】設定格納部１３０に格納された設定情報の一例を示す。
【図５】携帯情報端末２０の動作モードの遷移を模式的に示す遷移図である。
【図６】入出力画面の遷移を模式的に示す遷移図である。
【図７】動作モードと入出力画面の表示または非表示の関係を示す。
【図８】ディスプレイ２００に表示される入出力画面の一例を示す。
【図９】ディスプレイ２００に表示される入出力画面の一例を示す。
【図１０】ディスプレイ２００に表示される入出力画面の一例を示す。
【図１１】ディスプレイ２００に表示される入出力画面の一例を示す。
【図１２】ディスプレイ２００に表示される入出力画面の一例を示す。
【図１３】ディスプレイ２００に表示される入出力画面の一例を示す。
【図１４】ディスプレイ２００に表示される入出力画面の一例を示す。
【図１５】ディスプレイ２００に表示される入出力画面の一例を示す。
【符号の説明】
【００４３】
２０  携帯情報端末
２２  携帯情報端末
３０  サーバ
３２  サーバ
７０  ネットワーク
９０  ＵＳＩＭ
１００  画面格納部
１１０  画面表示部
１２０  操作受付部
１３０  設定格納部
１４０  送受信部
１５０  カード読取部
２００  ディスプレイ
２０２  ディスプレイ
３００  操作パネル
３０２  操作パネル
４００  ユーザ登録設定画面
４１０  メニュー画面
４２０  サービス使用有無設定画面
４３０  サブメニュー画面
４４０  接続可否設定画面
４５０  活動情報設定画面
【図１】
2008104104.tif 000003
【図２】
2008104104.tif 000004
【図３】
2008104104.tif 000005
【図４】
2008104104.tif 000006
【図５】
2008104104.tif 000007
【図６】
2008104104.tif 000008
【図７】
2008104104.tif 000009
【図８】
2008104104.tif 000010
【図９】
2008104104.tif 000011
【図１０】
2008104104.tif 000012
【図１１】
2008104104.tif 000013
【図１２】
2008104104.tif 000014
【図１３】
2008104104.tif 000015
【図１４】
2008104104.tif 000016
【図１５】
2008104104.tif 000017